(57)【要約】【課題】疑似欠陥を低減しつつ微細な欠陥を検出することのできる検査方法および検査装置を提供する。【解決手段】試料に形成されたパターンの光学画像と、この光学画像に対応する参照画像とをダイ−トゥ−データベース方式によって比較し、欠陥が検出された光学画像についてこの欠陥に関する情報を保存する。参照画像に試料の面内におけるパターンの寸法分布を反映させて参照画像を再生成し、ダイ−トゥ−データベース方式による比較で欠陥が検出された光学画像と、この光学画像に対応する再生成された参照画像とを、ダイ−トゥ−データベース方式によって再比較する。欠陥が検出された光学画像から再度欠陥が検出された場合にはこの欠陥に関する情報を保存し、欠陥が検出された光学画像から欠陥が検出されない場合には、この光学画像には欠陥がないと判定する。【選択図】図４
2014206466.tif 000002
【特許請求の範囲】
【請求項１】
試料に形成されたパターンの光学画像を取得する工程と、
前記光学画像に対応する参照画像を生成する工程と、
前記光学画像と前記参照画像とをダイ−トゥ−データベース方式によって比較し、欠陥が検出された光学画像について該欠陥に関する情報を保存する工程と、
前記参照画像に前記試料の面内における前記パターンの寸法分布を反映させて参照画像を再生成する工程と、
前記ダイ−トゥ−データベース方式による比較で欠陥が検出された光学画像と、該光学画像に対応する前記再生成された参照画像とを、ダイ−トゥ−データベース方式によって再比較し、前記欠陥が検出された光学画像から再度欠陥が検出された場合には該欠陥に関する情報を保存し、前記欠陥が検出された光学画像から欠陥が検出されない場合には、該光学画像には欠陥がないとする工程とを有することを特徴とする検査方法。
【請求項２】
前記光学画像のパターンの寸法を測定する工程と、
前記光学画像のパターンの寸法から、前記試料の面内における前記パターンの寸法分布を求める工程とを有することを特徴とする請求項１に記載の検査方法。
【請求項３】
前記光学画像のパターンの寸法から、前記試料の面内における前記パターンの寸法分布を求める工程は、任意の大きさのブロック単位で前記パターンの寸法の平均値を算出して前記寸法分布を求める工程であることを特徴とする請求項２に記載の検査方法。
【請求項４】
前記欠陥が検出された光学画像から欠陥が検出されない場合には、該光学画像について保存された前記欠陥に関する情報を、再比較によって欠陥が検出された光学画像の欠陥に関する情報と区別して保存することを特徴とする請求項１〜３のいずれか１項に記載の検査方法。
【請求項５】
前記参照画像を再生成する工程では、前記試料の面内における前記パターンの寸法分布と併せて、前記光学画像のパターンの寸法を測定するのに使用した装置のオフセット量が反映されることを特徴とする請求項２〜４のいずれか１項に記載の検査方法。
【請求項６】
試料に形成されたパターンの光学画像を取得する光学画像取得部と、
前記光学画像に対応する参照画像を生成する参照画像生成部と、
前記光学画像と前記参照画像とをダイ−トゥ−データベース方式によって比較する比較部と、
前記比較部で欠陥が検出された光学画像について該欠陥に関する情報を保存する保存部とを有し、
前記参照画像生成部は、前記参照画像に前記試料の面内における前記パターンの寸法分布を反映させて参照画像を再生成し、
前記比較部は、前記ダイ−トゥ−データベース方式による比較で欠陥が検出された光学画像と、該光学画像に対応する前記再生成された参照画像とを、ダイ−トゥ−データベース方式によって再比較し、
前記欠陥が検出された光学画像から再度欠陥が検出された場合には、該欠陥に関する情報が前記保存部に保存され、前記欠陥が検出された光学画像から欠陥が検出されない場合には、該光学画像について保存された前記欠陥に関する情報が削除されることを特徴とする検査装置。
【請求項７】
前記試料の面内における前記パターンの寸法分布は外部から入力されることを特徴とする請求項６に記載の検査装置。
【発明の詳細な説明】
【技術分野】
【０００１】
本発明は、検査方法および検査装置に関する。
【背景技術】
【０００２】
大規模集積回路（Ｌａｒｇｅ  Ｓｃａｌｅ  Iｎｔｅｇｒａｔｉｏｎ；ＬＳＩ）の高集積化および大容量化に伴い、半導体素子に要求される回路寸法は狭小化の一途を辿っている。例えば、最近の代表的なロジックデバイスでは、数十ｎｍの線幅のパターン形成が要求される状況となってきている。
【０００３】
多大な製造コストのかかるＬＳＩにとって、製造工程における歩留まりの向上は欠かせない。ここで、半導体素子は、その製造工程において、ステッパまたはスキャナと呼ばれる縮小投影露光装置により、回路パターンが形成された原画パターン（マスクまたはレチクルを指す。以下では、マスクと総称する。）がウェハ上に露光転写される。そして、半導体素子の歩留まりを低下させる大きな要因として、マスクパターンの形状欠陥が挙げられる。近年、ウェハ上に形成されるＬＳＩパターンの寸法が微細化していることに伴って、マスクパターンの形状欠陥も微細化している。そこで、例えば、特許文献１には、マスク上における微細な欠陥を検出できる検査装置が開示されている。
【先行技術文献】
【特許文献】
【０００４】
【特許文献１】特開２００３−２１４８２０号公報
【特許文献２】特開２００２−８１９１４号公報
【発明の概要】
【発明が解決しようとする課題】
【０００５】
ところで、従来のマスク検査では、もっぱらパターンの形状欠陥を検出することを目的としており、それに適した欠陥判定のアルゴリズムや、欠陥の記録方法が工夫されてきた。また、マスク検査装置においては、パターンの線幅変動に起因するＬＳＩの製造マージン不足が課題とされていることに対応して、線幅変動による欠陥を検出する機能が充実してきている。しかし、最近のマスクパターンにおいては、形状欠陥や線幅変動として指摘されるべき欠陥の寸法が、マスク全面での線幅変動（線幅分布）と同等程度になってきている。このため、検出される欠陥の数が膨大になるという問題があった。
【０００６】
また、欠陥検出をする手法の１つとして、ダイ−トゥ−データベース（Ｄｉｅ  ｔｏ  Ｄａｔａｂａｓｅ）比較方式がある。この方式は、マスク製造に使用された設計パターンデータから生成される参照画像と、マスク上の実際のパターンの光学画像とを比較する検査方法である。具体的には、両者の画像信号の差分信号を求め、その差分信号が大きい部位に欠陥があると判定する。このとき、差分信号には、パターンの形成誤差や画像取得時の検出誤差に伴うノイズが含まれる。このため、欠陥判定においては、パターン欠陥によって生じる差分信号をノイズと如何にして分離するかが重要となるが、これは欠陥検出の感度とトレードオフの関係にある。つまり、欠陥判定の閾値を大きく設定すると、ノイズは低減されるが、本来検出されるべき欠陥が見逃されるおそれがある。一方、欠陥判定の閾値を小さく設定すると、ノイズによる疑似欠陥を検出する結果となり、検出する必要のない形状や線幅を欠陥としてしまうおそれがある。
【０００７】
本発明は、こうした問題に鑑みてなされたものである。すなわち、本発明の目的は、疑似欠陥を低減しつつ微細な欠陥を検出することのできる検査方法および検査装置を提供することにある。
【０００８】
本発明の他の目的および利点は、以下の記載から明らかとなるであろう。
【課題を解決するための手段】
【０００９】
本発明の第１の態様は、試料に形成されたパターンの光学画像を取得する工程と、
前記光学画像に対応する参照画像を生成する工程と、
前記光学画像と前記参照画像とをダイ−トゥ−データベース方式によって比較し、欠陥が検出された光学画像について該欠陥に関する情報を保存する工程と、
前記参照画像に前記試料の面内における前記パターンの寸法分布を反映させて参照画像を再生成する工程と、
前記ダイ−トゥ−データベース方式による比較で欠陥が検出された光学画像と、該光学画像に対応する前記再生成された参照画像とを、ダイ−トゥ−データベース方式によって再比較し、前記欠陥が検出された光学画像から再度欠陥が検出された場合には該欠陥に関する情報を保存し、前記欠陥が検出された光学画像から欠陥が検出されない場合には、該光学画像には欠陥がないとする工程とを有することを特徴とする検査方法に関する。
【００１０】
本発明の第１の態様は、前記光学画像のパターンの寸法を測定する工程と、
前記光学画像のパターンの寸法から、前記試料の面内における前記パターンの寸法分布を求める工程とを有することが好ましい。
この場合、任意の大きさのブロック単位で前記パターンの寸法の平均値を算出して前記寸法分布を求めることが好ましい。
【００１１】
本発明の第１の態様において、前記寸法分布を求める工程は、前記光学画像を取得する工程と並行して行われることが好ましい。
【００１２】
本発明の第１の態様において、前記欠陥が検出された光学画像から欠陥が検出されない場合には、該光学画像について保存された前記欠陥に関する情報を削除することが好ましい。
【００１３】
本発明の第１の態様において、前記欠陥が検出された光学画像から欠陥が検出されない場合には、該光学画像について保存された前記欠陥に関する情報を、再比較によって欠陥が検出された光学画像の欠陥に関する情報と区別して保存することが好ましい。
【００１４】
本発明の第１の態様において、前記参照画像を再生成する工程では、前記試料の面内における前記パターンの寸法分布と併せて、前記光学画像のパターンの寸法を測定するのに使用した装置のオフセット量が反映されることが好ましい。
【００１５】
本発明の第２の態様は、試料に形成されたパターンの光学画像を取得する光学画像取得部と、
前記光学画像に対応する参照画像を生成する参照画像生成部と、
前記光学画像と前記参照画像とをダイ−トゥ−データベース方式によって比較する比較部と、
前記比較部で欠陥が検出された光学画像について該欠陥に関する情報を保存する保存部とを有し、
前記参照画像生成部は、前記参照画像に前記試料の面内における前記パターンの寸法分布を反映させて参照画像を再生成し、
前記比較部は、前記ダイ−トゥ−データベース方式による比較で欠陥が検出された光学画像と、該光学画像に対応する前記再生成された参照画像とを、ダイ−トゥ−データベース方式によって再比較し、
前記欠陥が検出された光学画像から再度欠陥が検出された場合には、該欠陥に関する情報が前記保存部に保存され、前記欠陥が検出された光学画像から欠陥が検出されない場合には、該光学画像について保存された前記欠陥に関する情報が削除されることを特徴とする検査装置に関する。
【００１６】
本発明の第２の態様において、前記試料の面内における前記パターンの寸法分布は外部から入力されることが好ましい。
【００１７】
本発明の第２の態様は、前記光学画像のパターンの寸法を測定する寸法測定部と、
前記光学画像のパターンの寸法から、前記試料の面内における前記パターンの寸法分布を求める寸法分布取得部とを有することが好ましい。
【発明の効果】
【００１８】
本発明の第１の態様によれば、疑似欠陥を低減しつつ微細な欠陥を検出することのできる検査方法が提供される。
【００１９】
本発明の第２の態様によれば、疑似欠陥を低減しつつ微細な欠陥を検出することのできる検査装置が提供される。
【図面の簡単な説明】
【００２０】
【図１】本実施の形態における検査装置の概略構成図である。
【図２】図１の検査装置におけるデータの流れを示す図である。
【図３】マスクに形成されたパターンの欠陥を検出するための光学画像の取得手順を説明する図である。
【図４】本実施の形態の検査方法の要部を示すフローチャートである。
【図５】マスクの面内におけるパターンのΔＣＤマップの一例である。
【図６】図５の検査フレームＡに対応する光学画像の模式図である。
【図７】図６の光学画像に対応する参照画像の模式図である。
【図８】再生成された参照画像の模式図である。
【発明を実施するための形態】
【００２１】
図１は、本実施の形態における検査装置の概略構成図である。また、図２は、図１の検査装置におけるデータの流れを示す図である。尚、これらの図では、本実施の形態で必要な構成部を記載しているが、検査に必要な他の公知の構成部が含まれていてもよい。また、本明細書において、「〜部」または「〜回路」と記載したものは、コンピュータで動作可能なプログラムにより構成することができるが、ソフトウェアとなるプログラムだけではなく、ハードウェアとソフトウェアとの組合せやファームウェアとの組合せによって実施されるものであってもよい。プログラムにより構成される場合、プログラムは、磁気ディスク装置などの記録装置に記録される。
【００２２】
本実施の形態においては、フォトリソグラフィ法などで使用されるマスクを検査対象としているが、これに限られるものではなく、例えば、ウェハを検査対象としてもよい。
【００２３】
図１に示すように、検査装置１００は、光学画像取得部を構成する構成部Ａと、構成部Ａで取得された光学画像を用いて検査に必要な処理等を行う構成部Ｂとを有する。
【００２４】
構成部Ａは、光源１０３と、水平方向（Ｘ方向、Ｙ方向）および回転方向（θ方向）に移動可能なＸＹθテーブル１０２と、透過照明系を構成する照明光学系１７０と、拡大光学系１０４と、フォトダイオードアレイ１０５と、センサ回路１０６と、レーザ測長システム１２２と、オートローダ１３０とを有する。
【００２５】
構成部Ａでは、検査対象となるマスク１０１の光学画像、すなわち、マスク採取データ２０４が取得される。マスク採取データ２０４は、マスク１０１の設計パターンデータに含まれる図形データに基づく図形が描画されたマスクの画像である。例えば、マスク採取データ２０４は、８ビットの符号なしデータであって、各画素の明るさの階調を表現する。
【００２６】
マスク１０１は、オートローダ１３０により、ＸＹθテーブル１０２上に載置される。尚、オートローダ１３０はオートローダ制御回路１１３によって駆動され、オートローダ制回路１１３は制御計算機１１０によって制御される。マスク１０１がＸＹθテーブル１０２の上に載置されると、マスク１０１に形成されたパターンに対し、ＸＹθテーブル１０２の上方に配置された光源１０３から光が照射される。より詳しくは、光源１０３から照射される光束が、照明光学系１７０を介してマスク１０１に照射される。マスク１０１の下方には、拡大光学系１０４、フォトダイオードアレイ１０５およびセンサ回路１０６が配置されている。マスク１０１を透過した光は、拡大光学系１０４を介して、フォトダイオードアレイ１０５に光学像として結像する。
【００２７】
拡大光学系１０４は、図示しない自動焦点機構によって自動的に焦点調整がなされるように構成されていてもよい。さらに、図示しないが、検査装置１００は、マスク１０１の下方から光を照射し、反射光を拡大光学系を介してフォトダイオードアレイに導く構成としてもよい。この構成によれば、透過光と反射光による各光学画像を同時に取得することが可能である。
【００２８】
フォトダイオードアレイ１０５上に結像したマスク１０１のパターン像は、フォトダイオードアレイ１０５によって光電変換され、さらにセンサ回路１０６によってＡ／Ｄ（アナログデジタル）変換される。フォトダイオードアレイ１０５には、センサ（図示せず）が配置されている。このセンサの例としては、ＴＤＩ（Ｔｉｍｅ  Ｄｅｌａｙ  Ｉｎｔｅｇｒａｔｉｏｎ）センサなどが挙げられる。この場合、ＸＹθテーブル１０２が連続的に移動しながら、ＴＤＩセンサによってマスク１０１のパターンが撮像される。ここで、光源１０３、拡大光学系１０４、フォトダイオードアレイ１０５およびセンサ回路１０６により高倍率の検査光学系が構成される。
【００２９】
構成部Ｂでは、検査装置１００全体の制御を司る制御部としての制御計算機１１０が、データ伝送路となるバス１２０を介して、位置回路１０７、比較部の一例であって、第１の比較部１０８ａと第２の比較部１０８ｂとを有する比較回路１０８、参照画像生成部の一例となる参照回路１１２、展開回路１１１、寸法取得部の一例となる寸法測定回路１２５、寸法分布取得部の一例となるマップ作成回路１２６、オートローダ制御回路１１３、テーブル制御回路１１４、保存部の一例となる磁気ディスク装置１０９、磁気テープ装置１１５およびフレキシブルディスク装置１１６、ＣＲＴ１１７、パターンモニタ１１８並びにプリンタ１１９に接続されている。ＸＹθテーブル１０２は、テーブル制御回路１１４によって制御されたＸ軸モータ、Ｙ軸モータおよびθ軸モータによって駆動される。これらの駆動機構には、例えば、エアスライダと、リニアモータやステップモータなどとを組み合わせて用いることができる。
【００３０】
図１で「〜部」または「〜回路」と記載したものは、既に述べたように、コンピュータで動作可能なプログラムにより構成することができるが、ソフトウェアとなるプログラムだけではなく、ハードウェアとソフトウェアとの組合せやファームウェアとの組合せによって実施されるものであってもよい。プログラムにより構成される場合、プログラムは、磁気ディスク装置１０９に記録されることができる。例えば、オートローダ制御回路１１３、テーブル制御回路１１４、比較回路１０８および位置回路１０７内の各回路は、電気的回路で構成されてもよく、制御計算機１１０によって処理することのできるソフトウェアとして実現されてもよい。また、電気的回路とソフトウェアの組み合わせによって実現されてもよい。
【００３１】
制御計算機１１０は、テーブル制御回路１１４を制御して、ＸＹθテーブル１０２を駆動する。ＸＹθテーブル１０２の移動位置は、レーザ測長システム１２２により測定されて位置回路１０７に送られる。
【００３２】
また、制御計算機１１０は、オートローダ制御回路１１３を制御して、オートローダ１３０を駆動する。オートローダ１３０は、マスク１０１を自動的に搬送し、検査終了後には自動的にマスク１０１を搬出する。
【００３３】
データベース方式の基準データとなる設計パターンデータは、磁気ディスク装置１０９に格納されており、検査の進行に合わせて読み出されて展開回路１１１に送られる。ここで、設計パターンデータについて、図２を参照しながら説明する。
【００３４】
図２に示すように、設計者（ユーザ）が作成したＣＡＤデータ２０１は、ＯＡＳＩＳなどの階層化されたフォーマットの設計中間データ２０２に変換される。設計中間データ２０２には、レイヤ（層）毎に作成されて各マスクに形成される設計パターンデータが格納される。ここで、一般に、検査装置は、ＯＡＳＩＳデータを直接読み込めるようには構成されていない。すなわち、検査装置の製造メーカー毎に、独自のフォーマットデータが用いられている。このため、ＯＡＳＩＳデータは、レイヤ毎に各検査装置に固有のフォーマットデータ２０３に変換された後に検査装置１００に入力される。この場合、フォーマットデータ２０３は、検査装置１００に固有のデータとすることができるが、描画装置と互換性のあるデータとすることもできる。
【００３５】
フォーマットデータ２０３は、図１の磁気ディスク装置１０９に入力される。すなわち、マスク１０１のパターン形成時に用いた設計パターンデータは、磁気ディスク装置１０９に記憶される。
【００３６】
設計パターンに含まれる図形は、長方形や三角形を基本図形としたものである。磁気ディスク装置１０９には、例えば、図形の基準位置における座標（ｘ、ｙ）、辺の長さ、長方形や三角形等の図形種を区別する識別子となる図形コードといった情報であって、各パターン図形の形、大きさ、位置等を定義した図形データが格納される。
【００３７】
さらに、数百μｍ程度の範囲に存在する図形の集合を一般にクラスタまたはセルと称するが、これを用いてデータを階層化することが行われている。クラスタまたはセルには、各種図形を単独で配置したり、ある間隔で繰り返し配置したりする場合の配置座標や繰り返し記述も定義される。クラスタまたはセルデータは、さらにストライプと称される、幅が数百μｍであって、長さがマスク１０１のＸ方向またはＹ方向の全長に対応する１００ｍｍ程度の短冊状領域に配置される。
【００３８】
入力された設計パターンデータは、磁気ディスク装置１０９から制御計算機１１０を通して展開回路１１１によって読み出される。
【００３９】
展開回路１１１では、設計パターンデータがイメージデータ（ビットパターンデータ）に変換される。すなわち、展開回路１１１は、設計パターンデータを図形毎のデータにまで展開し、その図形データの図形形状を示す図形コード、図形寸法などを解釈する。そして、所定の量子化寸法のグリッドを単位とするマス目内に配置されるパターンとして、２値ないしは多値のイメージデータに展開される。さらに、センサ画素に相当する領域（マス目）毎に設計パターンにおける図形が占める占有率が演算され、各画素内の図形占有率が画素値となる。
【００４０】
展開回路１１１で変換されたイメージデータは、参照画像生成部としての参照回路１１２に送られて、参照画像（参照データとも称する。）の生成に用いられる。
【００４１】
センサ回路１０６から出力されたマスク採取データ２０４は、位置回路１０７から出力されたＸＹθテーブル１０２上でのマスク１０１の位置を示すデータとともに、比較回路１０８に送られる。また、上述した参照画像も比較回路１０８に送られる。
【００４２】
比較回路１０８では、マスク採取データ２０４と参照データとが、適切な比較判定アルゴリズムを用いて比較される。図１の構成であれば、透過画像同士での比較となるが、反射光学系を用いた構成であれば、反射画像同士での比較、あるいは、透過と反射を組み合わせた比較判定アルゴリズムが用いられる。比較の結果、両者の差異が所定の閾値を超えた場合には、その箇所が欠陥と判定される。
【００４３】
ストライプは、適当なサイズに分割されてサブストライプとなる。そして、マスク採取データ２０４から切り出されたサブストライプと、マスク採取データ２０４に対応する参照画像から切り出されたサブストライプとが、比較回路１０８内の比較ユニットに投入される。投入されたサブストライプは、さらに検査フレームと称される矩形の小領域に分割され、比較ユニットにおいてフレーム単位で比較されて欠陥が検出される。比較回路１０８には、複数の検査フレームが同時に並列して処理されるよう、数十個の比較ユニットが装備されている。各比較ユニットは、１つの検査フレームの処理が終わり次第、未処理のフレーム画像を取り込む。これにより、多数の検査フレームが順次処理されていく。
【００４４】
比較ユニットでの処理は、具体的には次のようにして行われる。まず、センサフレーム画像と、参照フレーム画像とを位置合わせする。このとき、パターンのエッジ位置や、輝度のピークの位置が揃うように、センサ画素単位で平行シフトさせる他、近隣の画素の輝度値を比例配分するなどして、センサ画素未満の合わせ込みも行う。位置合わせを終えた後は、センサフレーム画像と参照フレーム画像との画素毎のレベル差を評価したり、パターンエッジ方向の画素の微分値同士を比較したりするなどして、適切な比較アルゴリズムにしたがって欠陥を検出していく。尚、本明細書においては、センサフレーム画像と参照フレーム画像との比較を、単に光学画像と参照画像との比較と称することがある。
【００４５】
本実施の形態において、マスク採取データ２０４は、寸法測定回路１２５へも送られる。また、位置回路１０７からは、ＸＹθテーブル１０２上でのマスク１０１の位置を示すデータが寸法測定回路１２５へ送られる。寸法測定回路１２５では、マスク採取データ２０４から、マスク１０１に描画されたパターンの寸法（Ｃｒｉｔｉｃａｌ  Ｄｉｍｅｎｓｉｏｎ；以下、ＣＤと称す。）が測定される。例えば、ラインパターンであれば、その線幅が測定される。
【００４６】
寸法測定回路１２５におけるパターンの寸法測定は、マスク１０１の光学画像を取得するのと並行して行われる。但し、これに限られるものではなく、例えば、後述する第１の比較部１０８ａで検査を行うのと並行して、寸法測定回路１２５でパターンの寸法測定を行ってもよい。
【００４７】
寸法測定回路１２５は、本発明の寸法取得部の一例であり、本実施の形態では、線幅に代えてラインパターン間のスペース幅、すなわち、線間距離を測定してもよく、線幅と線間距離の両方の寸法を求めてもよい。さらに、寸法測定回路１２５へ参照回路１１２から参照データを送り、光学画像のラインパターンに対応するパターンの線幅を測定して、光学画像におけるパターン線幅と参照画像におけるパターン線幅との寸法差（ΔＣＤ）または寸法比率を求めてもよく、また、線間距離の寸法差または寸法比率を求めてもよい。あるいは、これらの任意の組み合わせとすることもできる。
【００４８】
線幅は、例えば、マスク１０１のパターンを分割して複数の検査領域を形成し、各検査領域の光学画像について画素毎の線幅を求め、次いで、得られた線幅の度数を集計して、その度数分布の集計結果から線幅の平均値を計算することにより求められる。また、この平均値と参照画像から求めた線幅とから、線幅の寸法差や寸法比率を求めることもできる。
【００４９】
寸法測定回路１２５で得られたＣＤ値は、寸法分布取得部としてのマップ作成回路１２６へ送られる。マップ作成回路１２６では、送られたＣＤ値を基に、例えば、マスク１０１の面内におけるパターン線幅の寸法マップ（ＣＤマップ）が作成される。作成されたＣＤマップは、磁気ディスク装置１０９に保存される。尚、検査装置１００は、必ずしもマップ作成回路１２６を有している必要はなく、寸法測定回路１２５がマップ作成機能を有していてもよく、あるいは、外部の計算機などによってマップを作成し、これを検査装置１００に入力してもよい。さらに、マップを作成せずに、寸法測定回路１２５で得られたＣＤ値を用いて、後述する再検査を行うことも可能である。
【００５０】
次に、図１の検査装置１００を用いてマスク１０１を検査する方法の一例を述べる。
【００５１】
＜光学画像取得工程＞
【００５２】
図１の構成部Ａにおいて、マスク１０１の光学画像が取得される。図３は、マスク１０１に形成されたパターンの欠陥を検出するための光学画像の取得手順を説明する図である。尚、既に述べたように、光学画像は、図２のマスク採取データ２０４に対応する。
【００５３】
図３でマスク１０１は、図１のＸＹθテーブル１０２の上に載置されているものとする。また、マスク１０１上の検査領域は、図３に示すように、短冊状の複数の検査領域、すなわち、ストライプ２０１，２０２，２０３，２０４，・・・に仮想的に分割されている。各ストライプは、例えば、幅が数百μｍであって、長さがマスク１０１のＸ方向またはＹ方向の全長に対応する１００ｍｍ程度の領域とすることができる。
【００５４】
光学画像は、ストライプ毎に取得される。すなわち、図３で光学画像を取得する際には、各ストライプ２０１，２０２，２０３，２０４，・・・が連続的に走査されるように、ＸＹθテーブル１０２の動作が制御される。具体的には、ＸＹθテーブル１０２が図３の−Ｘ方向に移動しながら、マスク１０１の光学画像が取得される。そして、図１のフォトダイオードアレイ１０５に、図３に示されるような走査幅Ｗの画像が連続的に入力される。すなわち、第１のストライプ２０１における画像を取得した後、第２のストライプ２０２における画像を取得する。この場合、ＸＹθテーブル１０２が−Ｙ方向にステップ移動した後、第１のストライプ２０１における画像の取得時の方向（−Ｘ方向）とは逆方向（Ｘ方向）に移動しながら光学画像を取得して、走査幅Ｗの画像がフォトダイオードアレイ１０５に連続的に入力される。第３のストライプ２０３における画像を取得する場合には、ＸＹθテーブル１０２が−Ｙ方向にステップ移動した後、第２のストライプ２０２における画像を取得する方向（Ｘ方向）とは逆方向、すなわち、第１のストライプ２０１における画像を取得した方向（−Ｘ方向）に、ＸＹθテーブル１０２が移動する。尚、図３の矢印は、光学画像が取得される方向と順序を示しており、斜線部分は、光学画像の取得が済んだ領域を表している。
【００５５】
図１のフォトダイオードアレイ１０５上に結像したパターンの像は、フォトダイオードアレイ１０５によって光電変換され、さらにセンサ回路１０６によってＡ／Ｄ（アナログデジタル）変換される。その後、光学画像は、センサ回路１０６から図１の比較回路１０８へ送られる。
【００５６】
尚、Ａ／Ｄ変換されたセンサデータは、画素毎にオフセット・ゲイン調整可能なデジタルアンプ（図示せず）に入力される。デジタルアンプの各画素用のゲインは、キャリブレーション工程で決定される。例えば、透過光用のキャリブレーション工程においては、センサが撮像する面積に対して十分に広いマスク１０１の遮光領域を撮影中に、黒レベルを決定する。次いで、センサが撮像する面積に対して十分に広いマスク１０１の透過光領域を撮影中に、白レベルを決定する。このとき、検査中の光量変動を見越して、例えば、白レベルと黒レベルの振幅が８ビット階調データの約４％から約９４％に相当する１０〜２４０に分布するよう、画素毎にオフセットとゲインを調整する。
【００５７】
＜参照画像生成工程＞
（１）記憶工程
ダイ−トゥ−データベース比較方式による検査の場合、欠陥判定の基準となるのは、設計パターンデータから生成する参照画像である。検査装置１００では、マスク１０１のパターン形成時に用いた設計パターンデータが磁気ディスク装置１０９に記憶される。
【００５８】
（２）展開工程
展開工程においては、図１の展開回路１１１が、磁気ディスク装置１０９から制御計算機１１０を通して設計パターンデータを読み出し、読み出されたマスク１０１の設計パターンデータを２値ないしは多値のイメージデータ（設計画像データ）に変換する。このイメージデータは参照回路１１２に送られる。
【００５９】
（３）フィルタ処理工程
フィルタ処理工程では、図１の参照回路１１２によって、図形のイメージデータである設計パターンデータに適切なフィルタ処理が施される。その理由は、次の通りである。
【００６０】
マスク１０１のパターンは、その製造工程でコーナーの丸まりや線幅の仕上がり寸法などが加減されており、設計パターンと厳密には一致しない。また、図１のセンサ回路１０６から得られた光学画像としてのマスク採取データ２０４は、拡大光学系１０４の解像特性やフォトダイオードアレイ１０５のアパーチャ効果などによってぼやけた状態、言い換えれば、空間的なローパスフィルタが作用した状態にある。
【００６１】
そこで、検査に先だって検査対象となるマスクを観察し、その製造プロセスや検査装置の光学系による変化を模擬したフィルタ係数を学習して、設計パターンデータに２次元のデジタルフィルタをかける。このようにして、参照画像に対し光学画像に似せる処理を行う。
【００６２】
フィルタ係数の学習は、製造工程で決められた基準となるマスクのパターンを用いて行ってもよく、また、検査対象となるマスク（本実施の形態ではマスク１０１）のパターンの一部を用いて行ってもよい。後者であれば、学習に用いられた領域のパターン線幅やコーナーの丸まりの仕上がり具合を踏まえたフィルタ係数が取得され、マスク全体の欠陥判定基準に反映されることになる。
【００６３】
尚、検査対象となるマスクを使用する場合、製造ロットのばらつきや、検査装置のコンディション変動といった影響を排除したフィルタ係数の学習ができるという利点がある。しかし、マスク面内で寸法変動があると、学習に用いた箇所に対しては最適なフィルタ係数になるが、他の領域に対しては必ずしも最適な係数とはならないため、疑似欠陥を生じる原因になり得る。そこで、面内での寸法変動の影響を受け難いマスクの中央付近で学習することが好ましい。あるいは、マスク面内の複数の箇所で学習を行い、得られた複数のフィルタ係数の平均値を用いてもよい。
【００６４】
＜寸法測定工程＞
寸法測定工程では、光学画像からパターンの寸法（ＣＤ）が測定される。図１の検査装置１００では、寸法測定回路１２５が、センサ回路１０６から出力されたマスク採取データ２０４を用いて、この画像におけるパターン線幅の寸法（ＣＤ）を測定する。このとき、位置回路１０７から送られた、ＸＹθテーブル１０２上でのマスク１０１の位置情報が加味される。尚、パターンの寸法（ＣＤ）は、パターンの線幅でもよく、パターンの線間距離でもよい。
【００６５】
検査が行われている間に、寸法測定回路１２５で寸法（ＣＤ）を測定する頻度は、例えば、図３のストライプ（２０１，２０２，２０３，２０４，・・・）の長さ方向（Ｘ方向）に適当数（例えば、１０００点程度）のサンプル採取を行う毎とし、ストライプの幅方向（Ｙ方向）にも、Ｘ方向と同程度の数のサンプルが採取される毎とすることができる。寸法測定が行われる候補点付近においては、エッジペアの間隔の測定が可能な適当なラインパターンが用いられる。この場合、エッジペアは１つとしてもよいが、複数箇所のエッジペアを用いて寸法（ＣＤ）を測定し、得られた値の度数を集計して、その度数分布の集計結果から最も頻度の高い値（最頻値）を代表値として用いることが好ましい。尚、候補点付近にエッジペアが見つからなかったり、エッジペアの数が少なかったりする場合には、寸法（ＣＤ）を測定しなくてもよく、あるいは、限られたサンプル数から最頻値を求めてもよい。
【００６６】
＜マップ作成工程＞
寸法測定回路１２５でパターンの寸法（ＣＤ）が求められると、得られたデータはマップ作成回路１２６へ送られる。マップ作成回路１２６では、蓄積されたＣＤ値から、マスク面内での寸法分布を表すＣＤマップが作成される。このマップによれば、マスク１０１の検査領域において、パターンの線幅が細くなっている領域や太くなっている領域を容易に把握することができる。例えば、パターンの描画に使用される描画装置にマスクの特定部分で線幅が細くなる傾向があれば、そうした傾向を把握可能である。
【００６７】
＜ダイ−トゥ−データベース比較工程（１）＞
図２に示すように、光学画像取得工程で取得されたマスク採取データ２０４は、比較回路１０８へ送られる。また、参照回路１１２からは、参照データが比較回路１０８へ送られる。比較回路１０８は、第１の比較部１０８ａと第２の比較部１０８ｂとを有しており、第１の比較部１０８ａにおいて、マスク採取データ２０４と参照データとが、ダイ−トゥ−データベース方式によって比較される。具体的には、撮像されたストライプデータが検査フレーム単位に切り出され、検査フレーム毎に、欠陥判定の基準となるデータと適切な比較判定アルゴリズムを用いて比較される。そして、両者の差が所定の閾値を超える場合に欠陥と判定される。欠陥に関する情報は、マスク検査結果２０５に保存される。例えば、制御計算機１１０によって、欠陥の座標、欠陥判定の根拠となった光学画像などが、マスク検査結果２０５として磁気ディスク装置１０９に保存される。
【００６８】
例えば、マスク１０１に格子状のチップパターンが形成されているとする。検査対象としてｎ番目のチップを考えると、ダイ−トゥ−データベース比較方式においては、ｎ番目のチップの光学画像におけるパターンと、ｎ番目のチップの参照画像におけるパターンとの差が所定の閾値を超える場合に欠陥と判定される。
【００６９】
欠陥判定は、より具体的には、次の２種類の方法により行うことができる。１つは、参照画像における輪郭線の位置と、光学画像における輪郭線の位置との間に、所定の閾値寸法を超える差が認められる場合に欠陥と判定する方法である。他の１つは、参照画像におけるパターンの線幅と、光学画像におけるパターンの線幅との比率が所定の閾値を超える場合に欠陥と判定する方法である。この方法では、参照画像におけるパターン間の距離と、光学画像におけるパターン間の距離との比率を対象としてもよい。
【００７０】
＜参照画像の再生成工程＞
ところで、マスクの製造工程では、レジストパターンをマスクとして下層の遮光膜等をエッチングすることで、ウェハに転写するパターンを形成している。この際、マスク面内でのレジスト膜や遮光膜の面積の違いが原因となって、レジストパターンの寸法が設計データの寸法と異なってしまう現象（ローディング効果）が起こる。その結果、マスクの面内でパターン寸法に分布が生じる。
【００７１】
また、例えば、マスク１０１へのパターン形成に使用される荷電粒子ビーム描画装置によっては、特定の描画領域で線幅が太くなる（または細くなる）といった現象が見られることがある。
【００７２】
上述したように、参照画像生成工程でのフィルタ処理によれば、局所的なパターン寸法のばらつきを学習して、光学画像に似せた参照画像を作り出すことが可能である。しかし、マスク面内での寸法分布はより広範であり、フィルタ処理によって参照画像にこの寸法分布を反映させることはできない。逆に、フィルタ処理は、設計パターンデータに対し、マスクの典型的なパターン箇所の光学画像を手本として模擬する処理であるため、参照画像は、学習を行った領域のパターン線幅に倣った線幅傾向を持つパターン像となる。このため、マスク内で線幅寸法に分布がある場合、学習を行った領域のパターン線幅とは異なるパターン線幅の領域を検査しようとすると、パターンの線幅バイアス（偏差）を有した状態で光学画像と参照画像が比較されることになる。その結果、欠陥として検出する必要のない形状や線幅を欠陥として検出してしまうという問題が生じる。
【００７３】
そこで、本実施の形態では、第１の比較部１０８ａで欠陥が検出されたパターンの光学画像に対応する参照画像に対し、ＣＤマップを用いて、マスク面内におけるパターンの寸法分布を反映させる処理（参照画像の再生成）を行う。具体的には、マップ作成回路１２６からＣＤマップのデータを参照回路１１２へ送り、参照回路１１２において、ＣＤマップを基にパターンの寸法調整を行う。
【００７４】
＜ダイ−トゥ−データベース比較工程（２）＞
次に、第１の比較部１０８ａで欠陥が検出された光学画像と、この光学画像に対応する再生成された参照画像とを、比較回路１０８の第２の比較部１０８ｂでダイ−トゥ−データベース比較する。ここで、再生成された参照画像には、マスク面内における寸法のばらつきが反映されているので、パターンの線幅バイアス（偏差）がキャンセルされた状態で、光学画像と参照画像を比較することができる。比較の結果、欠陥が検出されなければ、第１の比較部１０８ａで検出された欠陥は疑似欠陥であり、本来欠陥として検出されるべきものではなかったと判断できる。
【００７５】
このように、ＣＤマップを反映させた参照画像と再度比較することで、マスク面内での寸法分布の影響を除いたダイ−トゥ−データベース比較が可能になる。これにより、疑似欠陥を低減しつつ本来検出されるべき欠陥を検出することができる。
【００７６】
図４は、本実施の形態の検査方法の要部を示すフローチャートである。
【００７７】
Ｓ１０１では、上記の方法にしたがい、図２の第１の比較部１０８ａでダイ−トゥ−データベース比較を行う。その結果、マスク１０１についてｎ（ｎは１以上の整数）個の欠陥が検出されたとする。これらの欠陥に関する情報は、マスク検査結果２０５に保存される。例えば、制御計算機１１０によって、欠陥の座標、欠陥判定の根拠となった光学画像などが、マスク検査結果２０５として磁気ディスク装置１０９に保存される。
【００７８】
ｎ個の欠陥が検出された時点で、光学画像からパターンの寸法が測定され、これを基にマスク１０１のＣＤマップが作成されている。尚、ＣＤマップは、上記で説明した通り、図１の検査装置１００内で作成することができるが、検査装置１００の外部装置で作成し、これを検査装置１００に入力してもよい。
【００７９】
次に、ＣＤマップを用いて、マスク１０１の面内における寸法のばらつき（ΔＣＤ）を算出する（Ｓ１０２）。例えば、図３のストライプ（２０１，２０２，２０３，２０４，・・・）の長さ方向（Ｘ方向）に配列するｎ個の検査フレームと、ストライプの幅方向（Ｙ方向）に配列するｎ個の検査フレームとによって定義される領域を１ブロック（（ｎ×ｎ）個の検査フレーム数の領域）とし、１ブロック内の光学画像について画素毎の線幅を求め、次いで、得られた線幅の度数を集計して、その度数分布の集計結果から線幅の平均値を計算する。この平均値と参照画像から求めた線幅とから、線幅の寸法差（ΔＣＤ）を求めることができる。他のブロックについても同様にしてΔＣＤを求めることにより、マスク１０１の面内における寸法のばらつき（ΔＣＤ）が求められる。
【００８０】
次に、Ｓ１０２で求められた、マスク面内における寸法のばらつき（ΔＣＤ）を参照画像へ反映させる（Ｓ１０３）。例えば、線幅が細くなっている領域では、参照画像の線幅が細くなるようにし、逆に、線幅が太くなっている領域では、参照画像の線幅が太くなるようにする。このようにして寸法が調整されて再生成された参照画像を、最初に欠陥が検出された光学画像と再びダイ−トゥ−データベース比較する（Ｓ１０４）。この処理は、図２の第２の比較部１０８ｂで行われる。
【００８１】
尚、参照画像の再生成にあたっては、ＣＤマップ以外の要素を加味することも可能である。例えば、寸法測定工程で使用される測長機によっては、所定のオフセット量を考慮する必要がある。例えば、測長機Ａを用いて測定されたＣＤ値を基準とする場合、測長機Ｂを用いて測定されたＣＤ値に対しては、測長機Ａを用いて測定された寸法と測長機Ｂを用いて測定された寸法との差から得られるオフセット量を加算する。あるいは、測長機Ｂを用いて測定されたＣＤ値に基づくＣＤマップから得られるΔＣＤ値にオフセット量を加算してもよい。こうして得られた値を用いて、参照画像の寸法を調整する。
【００８２】
Ｓ１０４での再検査の結果、欠陥が検出されれば、Ｓ１０５に進んでマスク検査結果に保存する。例えば、制御計算機１１０によって、欠陥の座標、欠陥判定の根拠となった光学画像などが、マスク検査結果２０５として磁気ディスク装置１０９に保存される。
【００８３】
その後、図２に示すように、マスク検査結果２０５はレビュー装置５００に送られる。レビューは、オペレータによって、検出された欠陥が実用上問題となるものであるかどうかを判断する動作である。オペレータは、例えば、欠陥判定の根拠となった基準画像と、欠陥が含まれる光学画像とを見比べて、修正の必要な欠陥であるか否かを判断する。そして、レビュー工程を経て判別された欠陥情報も、図１の磁気ディスク装置１０９に保存される。レビュー装置５００で１つでも修正すべき欠陥が確認されると、マスク１０１は、欠陥情報リスト２０７とともに、検査装置１００の外部装置である修正装置６００に送られる。修正方法は、欠陥のタイプが凸系の欠陥か凹系の欠陥かによって異なるので、欠陥情報リスト２０７には、凹凸の区別を含む欠陥の種別と欠陥の座標が添付される。
【００８４】
一方、Ｓ１０４での比較の結果、欠陥が検出されなかった場合には、制御計算機１１０は、第１の比較部１０８ａで検出された欠陥は欠陥でないと判断して、Ｓ１０１で欠陥と判定された情報を削除する（Ｓ１０６）。あるいは、制御計算機１１０は、Ｓ１０１での結果をマスク検査結果と区別して保存し、検査装置１００を使用するユーザの要求に応じて適宜読み出し可能なようにすることもできる（Ｓ１０６）。
【００８５】
例えば、マスク１０１にライン・アンド・スペースパターンが形成されているとする。このとき、図６に示すように、所定の光学画像におけるラインパターンの線幅（Ｗｏｐ）が６１ｎｍであり、対応する参照画像におけるパターンの線幅（Ｗｒｅｆ）が、図７に示すように、５０ｎｍであったとする。閾値として１０ｎｍが定義され、寸法差が１０ｎｍを超える場合には欠陥と判定されるとすれば、この場合は、寸法差が１１ｎｍであるので、光学画像には欠陥があるとして、その情報がマスク検査結果に保存される。
【００８６】
図５は、マスク１０１の面内におけるパターンのΔＣＤマップの一例である。図６の光学画像は、図５の検査フレームＡに対応するとする。センサは、ストライプ２０に沿ってパターンを撮像していく。比較回路１０８では、撮像されたストライプデータが検査フレーム単位に分割され、対応する参照画像と比較される。
【００８７】
ここで、図５から分かるように、マスク１０１の面内におけるパターンには寸法分布がある。そして、検査フレームＡは、設計値より線幅が太くなっている領域に位置する。したがって、検査フレームＡにおけるパターンの線幅には、この領域における線幅分布の傾向が加味されていると言える。そこで、この場合は、参照画像の線幅が太くなるように寸法を調整する。
【００８８】
既に述べた通り、参照画像にパターンの寸法分布を反映させる際には、まず、光学画像のパターンの寸法を測定し、次いで、測定した寸法から、マスク１０１の面内におけるパターンの寸法分布を求める。このとき、パターンを任意の大きさのブロック単位に分割し、ブロック毎にパターンの寸法の平均値を算出して寸法分布を求めることができる。例えば、図５のストライプ２０の長さ方向（Ｘ方向）に配列する４個の検査フレームと、ストライプの幅方向（Ｙ方向）に配列する４個の検査フレームとによって定義される領域（図５で破線で囲まれた領域）を１ブロックとし、１ブロック内の光学画像について画素毎の線幅を求め、次いで、得られた線幅の度数を集計して、その度数分布の集計結果から線幅の平均値を計算する。この平均値と参照画像から求めた線幅とから、線幅の寸法差（ΔＣＤ）を求めて、参照画像へ反映させる。ΔＣＤ＝２ｎｍであれば、図８に示すように、再生成後の参照画像のパターンの線幅（Ｗｒｅｆ’）は５２ｎｍとなり、光学画像との寸法差は１０ｎｍ以下になる。したがって、この光学画像には検出すべき欠陥はなく、先に検出された欠陥は疑似欠陥であると判定される。尚、１ブロックの大きさは、上記の例に限られるものではなく、任意の大きさとすることが可能である。
【００８９】
上記例において、再検査前の欠陥に関する情報、すなわち、光学画像におけるパターンの線幅が６１ｎｍであり、対応する参照画像におけるパターンの寸法が５０ｎｍであるため、寸法差が１１ｎｍとなって光学画像には欠陥があると判定された情報は、マスク検査結果から削除される。あるいは、削除せずに、再比較によって欠陥が検出された光学画像の欠陥に関する情報と区別して保存してもよい。
【００９０】
その後、Ｓ１０１で２番目に欠陥が検出された光学画像についても同様の工程を繰り返す。制御計算機１１０は、ｍ番目に欠陥が検出された光学画像に対し、再検査によりマスク検査結果への保存の是非を判定した後は、ｍ＝ｎであるか否かを判定することによって、このダイがｎ番目、すなわち、最後に欠陥が検出されたダイであるか否かを判定する。ｍ＝ｎであれば、全ての欠陥について再検査を行ったとして一連の工程を終了する。
【００９１】
尚、図４の工程にしたがってｎ個の欠陥を再検査する順序は、欠陥が検出された順序に限られない。例えば、最後に検出された欠陥から始まって、最初に検出された欠陥を最後に再検査することとしてもよく、また、ＸＹθテーブル１０２の移動の効率性を考えて順番を決めてもよい。
【００９２】
本実施の形態によれば、マスク面内での寸法分布を参照画像に反映させることにより、類似した寸法分布を有する光学画像と参照画像とが比較されることになる。つまり、寸法分布の差による影響を最小限にした状態での比較が可能となるので、検出する必要のない欠陥がマスク検査結果から除かれる。つまり、欠陥検出感度の低下を引き起こすことなしに、疑似欠陥の低減を図ることができる。また、検出する必要のない欠陥がマスク検査結果から除かれることで、オペレータがレビューする欠陥数が低減され、検査時間の短縮化に繋がる。さらに、欠陥情報リストに挙がる欠陥数を低減することにもなるので、マスクの製造歩留まりを向上させることが可能となる。
【００９３】
本実施の形態において、マップ作成回路１２６で作成されたマップは、ウェハなどにマスク１０１のパターンを転写する際に利用することができる。例えば、マスク１０１のパターンをウェハへ転写する露光装置が、照射エネルギー量（ドーズ量）をマップとして入力可能なものであれば、マップ作成回路１２６で作成されたマップを露光装置に入力して、これを照射エネルギー量のマップに換算することで、ウェハに均一な線幅を転写することが可能となる。例えば、マスク１０１で寸法差がマイナス、すなわち、線幅が細くなっている箇所では、ウェハ上に転写されるパターンが太くなるように照射エネルギー量を調整する。一方、マスク１０１で寸法差がプラス、すなわち、線幅が太くなっている箇所では、ウェハ上に転写されるパターンが細くなるように照射エネルギー量を調整する。このようにすることで、パターンに寸法分布を有するマスクであっても、ウェハ上に転写されたパターンの線幅が均一となるようにすることができる。
【００９４】
本発明は上記実施の形態に限定されるものではなく、本発明の趣旨を逸脱しない範囲内で種々変形して実施することができる。
【００９５】
例えば、上記実施の形態において、比較回路１０８は、第１の比較部１０８ａと第２の比較部１０８ｂとを有し、第１の比較部１０８ａにおいて、最初のダイ−トゥ−データベース比較による検査が行われ、第２の比較部１０８ｂにおいて、再生成された参照画像を用いてのダイ−トゥ−データベース比較による再検査が行われた。しかし、比較回路は、必ずしも第１の比較部と第２の比較部を有している必要はない。すなわち、比較回路が有する複数の比較ユニットに対し、場合に応じて、マスク採取データから切り出されたセンサフレーム画像と、参照画像から切り出された参照フレーム画像とが投入されたり、あるいは、欠陥が検出されたセンサフレーム画像と、再生成された参照フレーム画像とが投入されたりしてもよい。前者であれば最初の検査が行われることになり、後者であれば再検査が行われることになる。
【００９６】
また、上記実施の形態では、参照回路が参照画像の再生成を行ったが、検査装置全体の制御を司る制御部としての制御計算機が参照画像の再生成を行ってもよい。すなわち、制御計算機が、マップ作成回路からＣＤマップのデータを受け取り、また、参照回路から参照データを受け取って、参照画像の寸法調整を行ってもよい。但し、光学画像の取得、参照画像の生成、光学画像と参照画像の比較による検査といった処理と並行して参照画像の再生成を行う場合には、参照画像生成のための処理速度に速さが求められるので、電気的回路で構成された参照回路で参照画像を再生成することが好ましい。
【００９７】
また、上記実施の形態では、図１の寸法測定回路１２５で光学画像の寸法を測定し、この値から得られたＣＤマップを用いて参照画像の再生成を行った。ここで、ＣＤマップは、検査対象となるマスク面内における寸法分布を反映したものであるが、本発明はこれに限られるものではなく、例えば、マスクへのパターン形成に使用される荷電粒子ビーム描画装置の特性、例えば、特定の描画領域で線幅が太くなる（または細くなる）といった特性を表したＣＤマップを用いて、参照画像の再生成を行ってもよい。この場合にも上記と同様の効果を得ることが可能である。
【００９８】
さらに、上記実施の形態では、装置構成や制御手法等、本発明の説明に直接必要としない部分についての記載を省略したが、必要とされる装置構成や制御手法を適宜選択して用いることができることは言うまでもない。その他、本発明の要素を具備し、当業者が適宜設計変更し得る全ての検査方法または検査装置は、本発明の範囲に包含される。
【符号の説明】
【００９９】
２０，２０１，２０２，２０３，２０４  ストライプ
１００  検査装置
１０１  マスク
１０２  ＸＹθテーブル
１０３  光源
１０４  拡大光学系
１０５  フォトダイオードアレイ
１０６  センサ回路
１０７  位置回路
１０８  比較回路
１０８ａ  第１の比較部
１０８ｂ  第２の比較部
１０９  磁気ディスク装置
１１０  制御計算機
１１１  展開回路
１１２  参照回路
１１３  オートローダ制御回路
１１４  テーブル制御回路
１１５  磁気テープ装置
１１６  フレキシブルディスク装置
１１７  ＣＲＴ
１１８  パターンモニタ
１１９  プリンタ
１２０  バス
１２２  レーザ測長システム
１２５  寸法測定回路
１２６  マップ作成回路
１３０  オートローダ
１７０  照明光学系
２０１  ＣＡＤデータ
２０２  設計中間データ
２０３  フォーマットデータ
２０４  マスク採取データ
２０５  マスク検査結果
２０７  欠陥情報リスト
５００  レビュー装置
６００  修正装置
【図３】
2014206466.tif 000003
【図５】
2014206466.tif 000004
【図６】
2014206466.tif 000005
【図７】
2014206466.tif 000006
【図８】
2014206466.tif 000007
【図１】
2014206466.tif 000008
【図２】
2014206466.tif 000009
【図４】
2014206466.tif 000010